(57)【要約】      （修正有）【課題】アイシャドウを塗布するメイクアップの際に、肘を上げた無理な姿勢を取らずともアイシャドウチップを必要な角度に維持し、施術中にスティックを把持する手首が施術していない側の眼の視界を遮らずに施術できる化粧用具を提供する。【解決手段】棒状の本体の一端にアイシャドウチップ等の施術部を有し、施術部を有する側の本体の一端を任意の角度に自在に屈曲可能としてなる。施術部は、本体に着脱して交換可能としてなり、さらに、施術部としてスポンジチップ以外にも、ブラシ、刷毛、化粧用ペンシル、剃刀のいずれかを装着可能である。【選択図】図８
0003172286.tif 000002
【実用新案登録請求の範囲】
【請求項１】
棒状の本体の一端に施術部を有し、該施術部を有する側の本体の一端を任意の角度に自在に屈曲可能としてなることを特徴とする化粧用具。
【請求項２】
前記施術部は、前記本体に着脱して交換可能としてなることを特徴とする、請求項１に記載の化粧用具。
【請求項３】
前記施術部は、スポンジチップ、ブラシ、刷毛、化粧用ペンシル、剃刀のいずれかであることを特徴とする請求項１又は請求項２に記載の化粧用具。
【考案の詳細な説明】
【技術分野】
【０００１】
本考案は、メイクアップにおいてアイシャドウの塗布等の施術に用いる化粧用具に関する。
【背景技術】
【０００２】
メイクアップにおいては、瞼部にアイシャドウやアイライン等を塗布したり、眉毛を描き足すアイブロウや眉毛のムダ毛を剃り落としたりといった様々な繊細な作業が行われるが、これらの作業には従来から化粧用のブラシや刷毛、アイライン用ペンシル、化粧用剃刀等の用具が用いられてきた。特に、アイシャドウの塗布においては、近年ではアイシャドウチップと呼ばれるスポンジの小片すなわちチップを取り付けたスティックすなわち棒状の化粧用具が一般的に用いられ、あるいはブラシや刷毛と併用されている。
【０００３】
普及品のアイシャドウでは、図１の写真（非特許文献１）に示す如く、アイシャドウチップ付の短いスティックが付属品として製品に同梱されている場合が多いが、プロのメイクアップアーティストは多種多様なアイシャドウを使用する関係上、図２の写真（非特許文献２）に示す如く、長短様々なスティックを駆使し、消耗品としてのチップを交換して使用することが多い。
【非特許文献１】アイシャドウ製品に同梱のアイシャドウチップスティック一例の写真
【非特許文献２】プロ用のアイシャドウチップスティックの一例の写真
【０００４】
アイシャドウの施術の際は、使用者はスティックの他端を手指で把持し、アイシャドウを付着させたチップで瞼部上を擦過することにより塗布するが、施術時の微妙な角度や強弱の調整は手首や肘の角度や動きにより行う。
【０００５】
自ら施術する際は、特に上瞼部にアイシャドウを塗布するときは、チップを概ね水平方向に動かすため、単純な棒状体であるスティックを水平方向に保持したまま手首をなるべく固定しておく必要があり、結果的に肘を上げた姿勢となる場合が多い。これは腕や肩に負担を強いる姿勢であり、特に高齢者にとっては困難を伴う場合がある。
【０００６】
また、たとえば自身の右眼瞼を施術する際には、施術者の利き手が右手の場合、一般的に瞼の目頭側については、スティックを顔面の外側から瞼に近付けてチップを目頭に当て、瞼の中央に向けて擦過させることでアイシャドウを塗布するため、開いている左眼によって鏡を見ながら比較的容易に作業が行えるが、そのまま右手を用いて瞼の目尻側を施術するには、右腕を胸の前で反転させた姿勢を保持しながら、チップを目尻に当てて瞼の中央に向けて逆の方向に擦過させることとなる。この際、スティックを把持する右手首は、開いている左眼の直前に位置することとなって視界を遮るため鏡が見にくくなるだけでなく、施術者は右腕を不自然な姿勢に保つという負担を強いられるという問題があった。
【０００７】
一方、メイクアップアーティストが他人に対して施術する場合、施術者は通常、鏡の前に着座した被施術者の斜め前方に位置して施術するが、同様に瞼の目尻側と目頭側ではスティックを持つ利き手の角度を反転させなければならないため、それを避けるためにいちいち被施術者の反対側の位置に移動する必要があった。また、スティックを水平状態に維持するために、施術者はやはり肘を上げた無理な姿勢を強いられるという問題があった。
【考案の開示】
【考案が解決しようとする課題】
【０００８】
本考案は、以上の点に鑑み提案されたもので、肘を上げた無理な姿勢を取らずともアイシャドウチップを必要な角度に維持し、施術中にスティックを把持する手首が施術していない側の眼の視界を遮らずに施術できる化粧用具を提供しようとするものである。
【０００９】
上記課題を解決するべく、請求項１に記載した化粧用具は、棒状の本体の一端に施術部を有し、該施術部を有する側の本体の一端を任意の角度に自在に屈曲可能としてなることを特徴とする。
【００１０】
本考案では、棒状の本体が前記スティックに相当し、その一端に設けた施術部が前記アイシャドウチップに相当する。施術部を有する側の本体の一端が任意の角度に自在に屈曲可能であるため、本体に対して該一端をたとえば４５度の角度に屈曲させれば、本体を把持する効き腕の肘を高く上げなくても施術部を水平方向に維持することが可能となり、腕や肩に負担を掛けずにアイシャドウの塗布が行える。
【００１１】
また、上記のように本体の一端を屈曲させた状態であれば、たとえば利き腕の右手で本体を把持したまま右瞼の目尻側にアイシャドウを塗布する際にも、本体は顔面左下から右眼にかけて斜めに位置する形となるため、本体を把持する右手首が左眼の視界を遮らず、鏡が見えにくくなることを防ぐため作業が容易となる。
【００１２】
次に、請求項２に記載した考案は、請求項１に記載した化粧用具であって、前記施術部が、前記本体に着脱して交換可能としてなることを特徴とする。
【００１３】
前述の通り、アイシャドウチップは一般的にスポンジ製の消耗品であるだけでなく、異なる色のアイシャドウを用いると色が混ざって本来の色が損なわれるおそれもあるため、チップだけを交換して本体を反復利用できれば経済的であるし、特にプロのメイクアップアーティストの場合、手に馴染んだ本体を継続利用できることにより、作業効率の向上にも寄与する。また、チップには施術により被施術者の皮脂や汗が付着するおそれがあるが、常に新しいチップに交換すれば、より衛生的である。
【００１４】
次に、請求項３に記載した考案は、請求項１又は請求項２のいずれかに記載の化粧用具であって、前記施術部が、スポンジチップ、ブラシ、刷毛、化粧用ペンシル、剃刀のいずれかであることを特徴とする。
【００１５】
アイシャドウの塗布にはスポンジチップ以外にブラシや刷毛などを用いる場合があるし、メイクアップにおいてはアイラインを引いたり眉毛のムダ毛を剃り落としたりといった様々な作業がある。請求項１に記載の一端を任意の角度に自在に屈曲可能な本体に、施術部としてスポンジチップ以外に、ブラシ、刷毛、化粧用ペンシル、剃刀を交換して装着できれば、施術者にとって多くの作業が無理のない姿勢で容易に行うことができるようになる。
【考案の効果】
【００１６】
本考案によれば、施術部としてスポンジチップ、ブラシ、刷毛、化粧用ペンシル、剃刀のいずれかを自由に交換して装着し、しかも施術部を装着した本体の一端が任意の角度に自在に屈曲可能であるため、アイシャドウの塗布をはじめとするメイクアップにおける多くの作業が無理のない姿勢で行える。そのため、高齢者も含む一般消費者にとってはメイクアップを容易に行うことができるだけでなく、プロのメイクアップアーティストにとっても作業効率の向上が期待できる。また、消耗品の施術部のみを交換して使い慣れた本体部を継続使用できるため、衛生的であるし、経済性も高い。
【考案を実施するための最良の形態】
【００１７】
以下に、本考案を実施するための一例の形態を添付した図３乃至図９を用いて説明する。図３及び図４は本考案に係る化粧用具１０の外観斜視図である。化粧用具１０は、本体１１と前記施術部としてのスポンジ製のアイシャドウチップ１３（以下では単に「チップ１３」と記す。）とから成り、本体１１の一端は屈曲部１２としている。屈曲部１２は略円柱状の棒状体としており、その先端はチップ１３に設けた盲管孔（図示せず。）に貫入している。一方、屈曲部１２以外の本体１１は断面を略楕円形あるいは略長方形とし、指先で向きを把握して把持し易く、卓上での転がりも防止しているが、形状はこれに限定されるものではない。
【００１８】
図５は、化粧用具１０の長軸方向に沿った断面を示す断面図であり、図６及び図７は、それぞれチップ１３側と本体１１の他端側からみた横面図である。また、図８は、屈曲部１２にて本体１１を屈曲させた状態を示す化粧用具１０の側面図である。前記屈曲部１２は内部に柔軟な芯材１４を有し、該芯材により屈曲部１２を任意の角度に自在に屈曲可能としている。なお、従来のアイシャドウチップ付スティックにも、スティックの素材がプラスティック等であって、強制的に折り曲げることで一定の角度に屈曲させることが可能な製品は存在したが、屈伸を繰り返すと折損しやすく、本考案のように屈曲部に柔軟な芯材を用いることで、任意の角度に自在に屈曲させて反復的に使用することを想定したものは存在しなかった。芯材１４の材質は特に限定されず、容易に屈曲可能で屈曲後にその形状が保持され、反復的な屈伸に耐える可塑性の高い素材であれば良く、たとえばアルミニウム等の金属棒などが好適である。
【００１９】
本実施例では、本体１１と屈曲部１２とは一体成型としているが、かかる構造もこれに限定されるものではなく、たとえば本体１１に芯材１４を直接接続して芯材１４のみで屈曲部１２を形成してもよい。ただし、金属製の芯材１４が露出したままでは顔面上の使用に危険を生じるおそれがあるため、ナイロン、ゴム又はプラスティック等の柔らかい素材で芯材１４を内包するように本体１１と屈曲部１２の表面を一体成型することが望ましい。なお、芯材１４は屈曲部１２だけでなく本体１１の内部全体に渡る長さとしても良いが、屈曲部１２を除く本体１１は一定の可撓性を有しつつも容易には変形しない材質とすることが望ましい。
【００２０】
図９は、チップ１３と交換可能な前記施術部としてのブラシ１５、刷毛１６、化粧用ペンシル１７、剃刀１８のアタッチメントの斜視図である。いずれもチップ１３と同様に屈曲部１２の先端に取り付けて、用途や使用部位に応じて屈曲部１２を適切な角度に屈曲させることにより、メイクアップの様々な施術に適用可能である。
【００２１】
図１０は、チップ１３を取り付けた状態の本化粧用具１０にてアイシャドウを施術する状態を示す模式図である。左図では被施術者の右眼上瞼目頭側にアイシャドウを塗布しており、チップ１３を略水平方向に保持しながら、屈曲部１２の屈曲角度Ｒをたとえば約４５度とすることで本体１１を斜め下方向に向けて保持できるので、使用者は肘を高く上げる必要がない。また、右図では目尻側にアイシャドウを塗布しているが、同様に本体１１を斜め下方向を向いたまま保持できるため、開いている左眼の視界を妨げることなく施術が行えることが分かる。
【００２２】
なお、本実施例の化粧用具１０は、本体１１が屈曲部１２よりもかなり長いロングタイプであるが、本体１１が短く屈曲部１２と同程度の長さのショートタイプとしてもよい。携帯用のアイシャドウ製品のケースに同梱する場合はショートタイプとし、プロのメイクアップアーティストが使用する業務用にはロングタイプが好適である。
【００２３】
以上、本考案に係る化粧用具の一実施形態について、その構成と使用状態について詳細に説明したが、本考案は上記実施形態に限定されるものではなく、本考案の技術的思想の範囲内において改良又は変更が可能であり、それらは本考案の技術的範囲に属する。
【産業上の利用可能性】
【００２４】
本考案に係る化粧用具は、施術部を有する本体の一端を屈曲部により任意の角度に自在に屈曲させることで、施術者の腕や肘の角度の制約を緩和し、楽な姿勢でアイシャドウ等の施術が可能となるため、一般消費者、特に高齢者にとってのメイクアップをより容易とでき、また、プロのメイクアップアーティストにとっても施術の自由度や効率性の向上に資するものである。
【図面の簡単な説明】
【００２５】
【図１】アイシャドウ製品に同梱のアイシャドウチップスティック一例の写真
【図２】プロ用のアイシャドウチップスティックの一例の写真
【図３】化粧用具の外観斜視図（チップを取り付けた状態）
【図４】化粧用具の外観斜視図（チップを分離した状態）
【図５】化粧用具の長軸方向に沿った断面を示す断面図
【図６】チップ側からみた化粧用具の横面図
【図７】本体の他端側からみた化粧用具の横面図
【図８】屈曲部にて本体を屈曲させた状態の化粧用具の側面図
【図９】チップと交換可能な前記施術部としてのブラシ、刷毛、化粧用ペンシル、剃刀のアタッチメントの斜視図
【図１０】チップを取り付けた状態の化粧用具にてアイシャドウを施術する状態を示す模式図
【符号の説明】
【００２６】
１０  化粧用具
１１  本体
１２  屈曲部
１３  チップ
１４  芯材
１５  ブラシ（交換用アタッチメント）
１６  刷毛（交換用アタッチメント）
１７  化粧用ペンシル（交換用アタッチメント）
１８  剃刀（交換用アタッチメント）
Ｒ    屈曲部の屈曲角度
【図１】
0003172286.tif 000003
【図２】
0003172286.tif 000004
【図３】
0003172286.tif 000005
【図４】
0003172286.tif 000006
【図５】
0003172286.tif 000007
【図６】
0003172286.tif 000008
【図７】
0003172286.tif 000009
【図８】
0003172286.tif 000010
【図９】
0003172286.tif 000011
【図１０】
0003172286.tif 000012